(57)【要約】【課題】毛髪を効率よく所定の形状に施術して固定することができつつ、毛髪の熱による損傷をより抑制することの可能なヘアスタイリング装置を得る。【解決手段】毛髪を挟持して施術する一対の挟持部２、３を備え、前記一対の挟持部２、３のうちの少なくとも一方の挟持部２に、加熱部６と当該加熱部６よりも温度の低い固定部７とが設けられたヘアスタイリング装置１において、毛髪を所定の形状に成形し易い状態とする前処理部５を設ける。【選択図】図３
2013085742.tif 000002
【特許請求の範囲】
【請求項１】
毛髪を挟持して施術する一対の挟持部を備え、前記一対の挟持部のうちの少なくとも一方の挟持部に、加熱部と当該加熱部よりも温度の低い固定部とが設けられたヘアスタイリング装置において、
毛髪を所定の形状に成形し易い状態とする前処理部を設けたことを特徴とするヘアスタイリング装置。
【請求項２】
前記前処理部、加熱部および固定部を、少なくとも一方の前記挟持部の髪接触部に並列配置するとともに、
前記加熱部よりも施術方向の前方側に前記前処理部を配置し、且つ後方側に前記固定部を配置したことを特徴とする請求項１に記載のヘアスタイリング装置。
【請求項３】
前記前処理部は、少なくとも毛髪に赤外線を添加する赤外線照射部を備えていることを特徴とする請求項１または２に記載のヘアスタイリング装置。
【請求項４】
前記前処理部は、少なくとも毛髪に超音波を添加する超音波発生部を備えていることを特徴とする請求項１または２に記載のヘアスタイリング装置。
【請求項５】
前記前処理部は、毛髪に赤外線を添加する赤外線照射部と、毛髪に超音波を添加する超音波発生部とを備えており、
前記赤外線照射部が、前記超音波発生部よりも前記施術方向の前方側に配置されていることを特徴とする請求項１〜４のうち何れか１項に記載のヘアスタイリング装置。
【請求項６】
前記赤外線照射部から照射される赤外線の波長が、２．５マイクロメートルから３０マイクロメートルの間に設定されていることを特徴とする請求項３または５に記載のヘアスタイリング装置。
【請求項７】
前記前処理部と加熱部との間および加熱部と固定部との間に断熱部材を設けるとともに、前記前処理部、加熱部、固定部および断熱部材の一方の前記挟持部からの突出量を等しくしたことを特徴とする請求項１〜６のうち何れか１項に記載のヘアスタイリング装置。
【請求項８】
前記固定部は、当該固定部の髪接触面の温度を下げる冷却手段を備えていることを特徴とする請求項１〜７のうち何れか１項に記載のヘアスタイリング装置。
【発明の詳細な説明】
【技術分野】
【０００１】
本発明は、ヘアスタイリング装置に関する。
【背景技術】
【０００２】
従来より、毛髪を所定の形状に施術するにあたって、熱以外にレーザ光や赤外線、マイナスイオンなどを毛髪に添加するようにしたヘアスタイリング装置が知られている（例えば、特許文献１参照）。
【０００３】
この特許文献１では、一対の挟持部のうちの少なくとも一方に加熱部（第１のセラミックヒータ）と、加熱部よりも温度の低い固定部（第２のセラミックヒータ）とを設けることで、毛髪にパーマを容易に施術できるようにするとともに、赤外線やマイナスイオンを毛髪に添加することで、パーマによる毛髪の損傷を抑制できるようにしている。
【先行技術文献】
【特許文献】
【０００４】
【特許文献１】特表２００９−２５４７９６号公報
【発明の概要】
【発明が解決しようとする課題】
【０００５】
しかしながら、上記従来のヘアスタイリング装置にあっては、赤外線を照射する赤外線ダイオードが加熱部と固定部との間に配置されている。そのため、毛髪のスタイルを整えるのにあたって、加熱部で形成した毛髪形状を赤外線によって崩してしまう恐れがあった。
【０００６】
そこで、本発明は、毛髪を効率よく所定の形状に施術して固定することができつつ、毛髪の熱による損傷をより抑制することの可能なヘアスタイリング装置を得ることを目的とする。
【課題を解決するための手段】
【０００７】
上記目的を達成するために、本発明の第１の特徴は、毛髪を挟持して施術する一対の挟持部を備え、前記一対の挟持部のうちの少なくとも一方の挟持部に、加熱部と当該加熱部よりも温度の低い固定部とが設けられたヘアスタイリング装置において、毛髪を所定の形状に成形し易い状態とする前処理部を設けたことを要旨とする。
【０００８】
第２の特徴は、前記前処理部、加熱部および固定部を、少なくとも一方の前記挟持部の髪接触部に並列配置するとともに、前記加熱部よりも施術方向の前方側に前記前処理部を配置し、且つ後方側に前記固定部を配置したことを要旨とする。
【０００９】
第３の特徴は、前記前処理部は、少なくとも毛髪に赤外線を添加する赤外線照射部を備えていることを要旨とする。
【００１０】
第４の特徴は、前記前処理部は、少なくとも毛髪に超音波を添加する超音波発生部を備えていることを要旨とする。
【００１１】
第５の特徴は、前記前処理部は、毛髪に赤外線を添加する赤外線照射部と、毛髪に超音波を添加する超音波発生部とを備えており、前記赤外線照射部が、前記超音波発生部よりも前記施術方向の前方側に配置されていることを要旨とする。
【００１２】
第６の特徴は、前記赤外線照射部から照射される赤外線の波長が、２．５マイクロメートルから３０マイクロメートルの間に設定されていることを要旨とする。
【００１３】
第７の特徴は、前記前処理部と加熱部との間および加熱部と固定部との間に断熱部材を設けるとともに、前記前処理部、加熱部、固定部および断熱部材の一方の前記挟持部からの突出量を等しくしたことを要旨とする。
【００１４】
第８の特徴は、前記固定部は、当該固定部の髪接触面の温度を下げる冷却手段を備えていることを要旨とする。
【発明の効果】
【００１５】
本発明のヘアスタイリング装置によれば、前処理部によって毛髪を所定の形状に成形し易い状態とすることができるので、加熱部の温度を従来よりも抑えつつ毛髪を所定の形状に形作ることができる。そして、この形作った毛髪を加熱部よりも温度の低い固定部で固定することにより、毛髪を効率よく所定の形状に施術して固定することができつつ、毛髪の熱による損傷をより抑制することができる。また、このとき、前処理部、加熱部、固定部という順番で毛髪の施術を行うので、従来のように加熱部で形成した毛髪形状を赤外線によって崩してしまうといったことも抑制できる。
【図面の簡単な説明】
【００１６】
【図１】本発明の第１実施形態にかかるヘアスタイリング装置の斜視図である。
【図２】図１のＡ−Ａ断面図である。
【図３】図１のＢ−Ｂ断面図である。
【図４】本発明の第１実施形態にかかるヘアスタイリング装置の赤外線の波長と水素結合の結合エネルギーの関係を示す説明図である。
【図５】本発明にかかるヘアスタイリング装置の第２実施形態を示す図３に対応した断面図である。
【図６】本発明にかかるヘアスタイリング装置の第３実施形態を示す図３に対応した断面図である。
【図７】本発明にかかるヘアスタイリング装置の第４実施形態を示す図３に対応した断面図である。
【図８】本発明にかかるヘアスタイリング装置の第５実施形態を示す図３に対応した断面図である。
【図９】本発明にかかるヘアスタイリング装置の変形例を示す図３に対応した断面図である。
【発明を実施するための形態】
【００１７】
以下、本発明の実施形態について図面を参照しつつ詳細に説明する。
【００１８】
［第１実施形態］
図１〜図４は、本発明にかかるヘアスタイリング装置の第１実施形態を示した図である。図１に示すように、本実施形態のヘアスタイリング装置１は、毛髪を挟持して施術する一対の挟持部２、３を備えている。そして、これらの挟持部２、３は、合成樹脂等の絶縁性を有する断熱材料で形成されており、先端部２ａ、３ａが開閉自在となるようにそれぞれの基端部２ｂ、３ｂが回動連結部８を介して回動自在に連結されている。
【００１９】
すなわち、一対の挟持部２、３は、一方の挟持部２と他方の挟持部３とが離反して略Ｖ字状となる拡開位置と、一方の挟持部２と他方の挟持部３とが接触して一直線状となる挟み込み位置との間で回動自在となっている。これにより、開いた状態にある先端部２ａ、３ａ間に髪を挟み込んで基端部２ｂ、３ｂを握持することにより、先端部２ａ、３ａが閉じて容易に髪を施術することができる。
【００２０】
ここで、本実施形態における髪の施術とは、髪を挟持部２、３で挟持しつつ髪の延びた方向に移動して髪を矯正する行為を意味し、この髪の矯正は加熱により行われる。すなわち、本実施形態では挟持部２、３の幅方向が、一対の挟持部２、３間に髪を挟み込んだ状態における髪の延在方向に相当しており、ヘアスタイリング装置１の施術方向α（図３参照）となる。また、挟持部２、３の長手方向が、髪の延在方向と交差する方向に相当する。
【００２１】
一対の挟持部２、３の各先端部２ａ、３ａの対向面２ｃ、３ｃには、髪が直接接触する髪接触部４がそれぞれ設けられている。上述した挟み込み位置では、この一対の髪接触部４の髪接触面４ａどうしが互いに接触した状態となって、一対の挟持部２、３どうしをきっちりと閉じることができるようになっている。
【００２２】
そして、本実施形態では、このような一対の挟持部２、３のうち、少なくとも一方の挟持部２の髪接触部４に加熱部６を設けることで髪の施術を行えるようにしている。
【００２３】
さらに、本実施形態では、この加熱部６よりも施術方向αの前方側に毛髪を所定の形状に成形し易い状態とする前処理部５を設けるとともに、後方側に加熱部６よりも温度の低い固定部７を設けている。
【００２４】
前処理部５は、図２および図３に示すように、本実施形態では髪に赤外線を添加することのできる赤外線ランプ（赤外線照射部）５１と、この赤外線ランプ５１を収容して髪接触部４を構成するケース５５とで構成されている。
【００２５】
赤外線ランプ５１は、本実施形態では、２．５マイクロメートルから３０マイクロメートルの間の波長の赤外線を照射できるように構成されている。このような構成としたのは、図４に示すように、毛髪の水素結合を切断するのに最も効果的な範囲の結合解離エネルギーｋで切断することができるためである。
【００２６】
ケース５５は、赤外線ランプ５１の周囲を囲うとともに、赤外線を透過する材料、例えば透明なプラスチックやガラスなどを用いて形成されるのが好ましい。こうすることで、赤外線ランプ５１から照射された赤外線は、髪接触面４ａの一部となるケース５５の上面５５ａを通過して、毛髪に赤外線を添加することができる。
【００２７】
また、本実施形態では、ケース５５の下面５５ｂと施術方向α後方側（加熱部６側）の側面５５ｃとに亘って、赤外線ランプ５１から照射された赤外線を反射する赤外線反射部材５６を設けている。この赤外線反射部材５６は、例えばアルミニウムなどの表面に光沢のある金属を用いるのが好ましい。
【００２８】
このように、本実施形態では、ケース５５の下面５５ｂと加熱部６側の側面５５ｃとに亘って赤外線反射部材５６を設けたので、ケース５５の上面５５ａから離反する方向に照射された赤外線を上面５５ａ側に反射して、効率的に毛髪に赤外線を添加することができる。
【００２９】
その一方で、本実施形態では、ケース５５の施術方向α前方側の側面５５ｄ（詳細には、一方の挟持部２の対向面２ｃから突出して露出した側面５５ｄ）には赤外線反射部材５６を設けていない。よって、赤外線ランプ５１から照射された赤外線と赤外線反射部材５６により反射された赤外線の一部は、この側面５５ｄを透過することになる。これにより、この側面５５ｄから漏れ出る赤外線を利用して使用者に前処理部５のある施術方向α前方側を認識させることができるようになり、ヘアスタイリング装置１の誤操作を抑制することができる。
【００３０】
加熱部６は、本実施形態では、ヒータ６１とこのヒータ６１が当接して設けられる薄板状のプレート６２とにより構成されている。なお、この薄板状のプレート６２は、例えば銅やアルミニウムなど導電性の高い材料で形成し、毛髪に熱を伝えやすくするのが好ましい。
【００３１】
そして、プレート６２の表面６２ａが髪接触面４ａの一部を構成するとともに、プレート６２の背面側に当接するようにしてヒータ６１が配置されている。本実施形態では、ヒータ６１としてＰＣＴヒータ（Positive Temperature Coefficient ヒータ）を用いており、これにより連続的な温度制御が可能となる。なお、本実施形態では、ヒータ６１としてＰＣＴヒータを用いたものを例示したが、これに限らず、ニクロム線ヒータやその他の加熱手段を用いるようにしてもよい。
【００３２】
このような加熱部６は、前処理部５よりも施術方向αの後方側に前処理部５と並設して配置されることにより、前処理部５によって所定の形状に成形し易い状態となった毛髪を加熱して、髪を形作ることができる。
【００３３】
固定部７は、本実施形態では、加熱部６のプレート６２よりも厚みのあるプレート７１のみで構成されており、このプレート７１の表面７１ａが髪接触面４ａの一部を構成している。なお、固定部７のプレート７１も、例えば銅やアルミニウムなど導電性の高い材料で形成し、毛髪の熱を除去し易くするのが好ましい。
【００３４】
そして、固定部７は、加熱部６よりも施術方向αの後方側に加熱部６と並設して配置されることにより、加熱部６によって矯正された毛髪を直ちに冷却して固定することができる。勿論、この固定部７にあっては、髪接触面４ａとしての表面７１ａの温度が、加熱部６の髪接触面４ａとしての表面６２ａの温度よりも低い温度となっている。
【００３５】
このように、本実施形態では、一方の挟持部２の髪接触部４が前処理部５と加熱部６と固定部７とによって構成されている。このとき、前処理部５のケース５５の上面５５ａと、加熱部６のプレート６２の表面６２ａと、固定部７のプレート７１の表面７１ａとが面一状態に形成されることで、一方の挟持部２の髪接触面４ａを平坦面とすることができる。
【００３６】
その一方で、他方の挟持部３の髪接触部４は、本実施形態では、一つの矩形薄板状のプレート４１により形成されており、こちらも髪接触面４ａが平坦面となっている。このとき、他方の挟持部３の髪接触面４ａは、一方の挟持部２の髪接触面４ａよりも同一以上の面積を確保して構成されるのが好ましい。
【００３７】
なお、本実施形態では、髪をストレートに仕上げるために、一対の髪接触面４ａを平坦面としたが、髪接触面４ａの形状は平坦面に限ることなく、矯正しようとする髪型に沿った面形状に適宜に変更可能である。
【００３８】
図２に示すように、一方の挟持部２の内部には、ヒータ６１の温度や赤外線ランプ５１の照射量などを制御する制御回路１０が収容されており、この制御回路１０にヒータ６１および赤外線ランプ５１が電気的に接続されている。
【００３９】
また、一方の挟持部２の基端部２ｂ側には操作スイッチ１１が設けられており、この操作スイッチ１１を操作することで、ヒータ６１および赤外線ランプ５１に対する通電のＯＮ・ＯＦＦを切り換えることができるようになっている。
【００４０】
また、挟持部２、３の基端部２ｂ側からはコンセントに差し込む電源コード９が延びており、この電源コード９をコンセントに差し込み、かつ、操作スイッチ１１をＯＮすることによってヘアスタイリング装置１に電力を供給することができる。
【００４１】
したがって、本実施形態のヘアスタイリング装置１で髪をセットする際には、電源コード９をコンセントに差し込んで操作スイッチ１１をＯＮすることにより、制御回路１０を介してヒータ６１および前処理部５の赤外線ランプ５１に電力が供給される。
【００４２】
すると、赤外線ランプ５１は、図４で示したように、２．５マイクロメートルから３０マイクロメートルの間の波長の赤外線を照射し、そのままの赤外線、あるいは赤外線反射部材５６により反射された赤外線がケース５５の上面５５ａを透過する。この状態で挟持部２、３の先端部２ａ、３ａ間に髪を挟持して、ヘアアスタイリング装置１を施術方向αにゆっくりと移動させる。このときの施術方向αは、頭部側から髪先方向とすることが好ましい。
【００４３】
すると、一対の挟持部２、３に挟持された髪は、ヘアスタイリング装置１の移動に伴って髪接触部４の前処理部５から加熱部６に相対的に移動する。これにより、髪には最初に前処理部５によって赤外線が添加されるとともに、その後、加熱部６の熱によってプレート６２表面６２ａの平坦面でストレートに矯正することができる。
【００４４】
その後、ヘアスタイリング装置１の移動に伴って、加熱された髪は固定部７へと運ばれて直ちに冷却される。この冷却によりプレート７１、４１間で矯正された髪をその形状（本実施形態ではストレート）で固定することができる。この場合、加熱部６のプレート６２の温度は８０゜Ｃ〜２５０゜Ｃの範囲が好ましく、固定部７のプレート７１の温度は−２０゜Ｃ〜２０゜Ｃの範囲が好ましい。これらの温度範囲は、以下に述べる各実施形態にあっても同様である。
【００４５】
以上、説明してきたように、本実施形態のヘアスタイリング装置１では、毛髪を所定の形状に成形し易い状態とする前処理部５を設けたので、加熱部６の温度を従来よりも抑えつつ毛髪を所定の形状に形作ることができる。すなわち、本実施形態では、前処理部５の赤外線ランプ５１で毛髪の結合をゆるめた後に加熱部６の熱で毛髪をさらに柔らかくして形作ることができるので、最初から加熱部の熱を毛髪に与える従来と比べて、加熱部６の温度を抑えても毛髪を形作り易くできる。そして、この形作った毛髪を加熱部６よりも温度の低い固定部７で固定することにより、毛髪を効率よく所定の形状に施術して固定することができつつ、毛髪の熱による損傷をより抑制することができる。
【００４６】
また、このように前処理部５、加熱部６、固定部７という順番で毛髪の施術を行う構成では、赤外線ダイオードが加熱部と固定部との間に配置される従来のように、加熱部６で形成した毛髪形状を前処理部５の赤外線によって崩してしまう恐れもない。よって、固定後の毛髪の形状変化を抑えて、矯正した髪型を長持ちさせることができる。
【００４７】
さらにまた、本実施形態では、前処理部５、加熱部６および固定部７が、少なくとも一方の挟持部２の髪接触部４に並列配置されており、加熱部６よりも施術方向αの前方側に前処理部５が配置されているとともに、後方側に固定部７が配置されている。そのため、髪を施術する一連の動作で、毛髪の熱による損傷を抑制することができつつ、毛髪を効率よく所定の形状に施術して固定することができるので、ヘアスタイリング装置１の使い勝手をよくして商品価値を高めることができる。
【００４８】
また、本実施形態では、前処理部５が少なくとも毛髪に赤外線を添加する赤外線ランプ（赤外線照射部）５１を備えているので、赤外線によって毛髪の深部まで水素結合を切断することができる。よって、毛髪が加熱される前に赤外線を毛髪に作用させることにより、毛髪を所定の形状に成形し易い状態とすることができる。
【００４９】
さらにまた、本実施形態では、赤外線ランプ（赤外線照射部）５１から照射される赤外線の波長が、２．５マイクロメートルから３０マイクロメートルの間に設定されている。ここで、図４に示すように、２．５マイクロメートルから３０マイクロメートルの波長の赤外線は、それ以外の波長の赤外線と比べて、水に吸収され易く水素結合を切断するのに最も効果的な周波数である。よって、毛髪をより形作り易くすることができる。
【００５０】
［第２実施形態］
図５は、本発明の第２実施形態を示した図であり、上記第１実施形態と同一構成部分に同一符号を付して重複する説明を省略して述べるものとする。
【００５１】
本実施形態のヘアスタイリング装置１Ａが上記第１実施形態と主に異なる点は、前処理部５が、赤外線ランプ５１に代えて超音波振動子（超音波発生部）５２を備えていることにある。
【００５２】
すなわち、図５に示すように、本実施形態の前処理部５は、毛髪に超音波を添加する超音波振動子（超音波発生部）５２と、この超音波振動子５２を収容して髪接触部４を構成するケース５７とで構成されている。
【００５３】
このような構成のヘアスタイリング装置１Ａでは、電源コード９をコンセントに差し込んで操作スイッチ１１をＯＮすることにより、制御回路１０を介してヒータ６１および前処理部５の超音波振動子５２に電力が供給される。
【００５４】
すると、超音波振動子５２によってケース５７の上面５７ａを振動させることができるようになり、このケース５５の上面５５ａを介して毛髪を振動させることができる。これにより、毛髪の持つ微細なひずみを解消することができるようになる。よって、毛髪が加熱される前に超音波を毛髪に作用させることにより、毛髪を所定の形状に成形し易い状態とすることができるのである。
【００５５】
以上により、本実施形態のヘアスタイリング装置１Ａによっても、上記第１実施形態と同様の作用効果を得ることができる。
【００５６】
また、本実施形態では、前処理部５が毛髪に超音波を添加する超音波振動子（超音波発生部）５２を備えているので、毛髪を振動させることによって毛髪の持つ微細なひずみを解消することができる。よって、毛髪が加熱される前に超音波を毛髪に作用させることにより、毛髪を所定の形状に成形し易い状態とすることができる。
【００５７】
［第３実施形態］
図６は、本発明の第３実施形態を示した図であり、上記第１および第２実施形態と同一構成部分に同一符号を付して重複する説明を省略して述べるものとする。
【００５８】
本実施形態のヘアスタイリング装置１Ｂが上記第１および第２実施形態と主に異なる点は、前処理部５が、毛髪に赤外線を添加する赤外線ランプ（赤外線照射部）５１と、毛髪に超音波を添加する超音波振動子（超音波発生部）５２とを備えていることにある。
【００５９】
そして、赤外線ランプ５１を、超音波振動子５２よりも施術方向αの前方側に配置し、これら赤外線ランプ５１、超音波振動子５２と、加熱部６および固定部７を施術方向αに並列に配置するようにしている。すなわち、本実施形態では、髪接触部４の髪接触面４ａが、赤外線ランプ５１を収容するケース５５の上面５５ａと、超音波振動子５２を収容するケース５７の上面５７ａと、加熱部６の表面６２ａと、固定部７の表面７１ａとで形成され、平坦面となっている。
【００６０】
以上により、本実施形態のヘアスタイリング装置１Ｂによっても、上記第１実施形態と同様の作用効果を得ることができる。
【００６１】
また、本実施形態では、前処理部５が、毛髪に赤外線を添加する赤外線ランプ（赤外線照射部）５１と、毛髪に超音波を添加する超音波振動子（超音波発生部）５２とを備えている。そして、赤外線ランプ５１を、超音波振動子５２よりも施術方向αの前方側に配置したので、毛髪に赤外線ランプ５１によって水素結合を切断させた後に超音波を作用させることができるようになる。これにより、超音波による毛髪のひずみ除去効果を増大させることができるという利点がある。
【００６２】
［第４実施形態］
図７は、本発明の第４実施形態を示した図であり、上記第１〜第３実施形態と同一構成部分に同一符号を付して重複する説明を省略して述べるものとする。
【００６３】
本実施形態のヘアスタイリング装置１Ｃが上記第１〜第３実施形態と主に異なる点は、前処理部５と加熱部６との間および加熱部６と固定部７との間に断熱部材１３、１４を設けたことにある。そして、これら前処理部５、加熱部６、固定部７および断熱部材１３、１４の一方の挟持部２の対向面２ｃからの突出量を等しくしている。
【００６４】
また、本実施形態では、上記第３実施形態と同様に、前処理部５が毛髪に赤外線を添加する赤外線ランプ（赤外線照射部）５１と、毛髪に超音波を添加する超音波振動子（超音波発生部）５２とを備えている。これに伴い、赤外線ランプ５１を収容するケース５５と、超音波振動子５２を収容するケース５７との間にも同様の断熱部材１２を設けている。
【００６５】
断熱部材１２、１３、１４は、断熱性が高く髪との摩擦係数が低い例えば硬質プラスチックなどを用いるのが好ましいが、その他の断熱材料の断熱部材１２、１３、１４を用いてもよい。
【００６６】
以上により、本実施形態のヘアスタイリング装置１Ｃによっても、上記第１実施形態と同様の作用効果を得ることができる。
【００６７】
また、本実施形態では、前処理部５と加熱部６との間および加熱部６と固定部７との間に断熱部材１３、１４を設けている。そのため、断熱部材１３、１４によって加熱部６の熱が固定部７および前処理部５に伝わるのを抑制できる。よって、加熱部６のアイロン効果をより高めることができるとともに、固定部７の冷却効果をより高めることができるので、加熱部６で矯正した髪型の固定をより確実に行うことに繋がる。
【００６８】
さらにまた、本実施形態では、前処理部５、加熱部６、固定部７および断熱部材１３、１４の一方の挟持部２の対向面２ｃからの突出量を等しくしたので、髪接触部４の髪接触面４ａを連続した平坦面とすることができる。これにより、髪接触面４ａに隙間が形成されないので、施術時に髪が引っ掛かってしまうことを抑制できる。よって、毛髪の損傷を抑制できるとともに、滑らかな動作で毛髪を施術することができるようになる。
【００６９】
［第５実施形態］
図８は、本発明の第５実施形態を示した図であり、上記第１〜第４実施形態と同一構成部分に同一符号を付して重複する説明を省略して述べるものとする。
【００７０】
本実施形態のヘアスタイリング装置１Ｄが上記第１〜第４実施形態と主に異なる点は、固定部７が、その固定部７の髪接触面となるプレート７１の表面７１ａの温度を下げる冷却手段を備えていることにある。
【００７１】
具体的には、図８に示すように、本実施形態の固定部７は、プレート７１と、このプレート７１の背面側に配置される冷却手段としてのペルチェ素子７５とを備えている。
【００７２】
ペルチェ素子７５は、冷却側をプレート７１の背面に密着して取り付けられる一方で、放熱側には放熱フィン７２が設けられている。
【００７３】
また、本実施形態では、一方の挟持部２の内部空間に仕切り壁７７が設けられており、これにより、固定部７と加熱部６および前処理部５とが仕切られている。
【００７４】
さらに、ペルチェ素子７５の近傍の仕切り壁７７に放熱ファン７３が取り付けられているとともに、放熱フィン７２の背面側の一方の挟持部２には、その内部空間と外部とを連通する複数の廃熱孔７４が設けられている。
【００７５】
そして、ペルチェ素子７５および放熱用ファン７３等の電気部品は配線を介して制御回路１０（図２参照）に接続されており、スイッチ１１をＯＮすることにより制御回路１０を介して各電気部品に電力が供給されるようになっている。
【００７６】
したがって、本実施形態のヘアスタイリング装置１Ｄで髪をセットする際には、電源コード９をコンセントに差し込んでスイッチ１１をＯＮすることにより、ヒータ６１、赤外線ランプ５１、超音波振動子５２、ペルチェ素子７５、放熱用ファン７３が通電される。これにより、赤外線ランプ５１と超音波振動子５２とによって赤外線と超音波を照射することができるとともに、ヒータ６１でプレート６２の表面６２ａを加熱し、かつ、ペルチェ素子７５でプレート７１の表面７２ａを冷却することができる。
【００７７】
また、放熱用ファン７３は、ペルチェ素子７５の放熱側で発生した熱気を積極的に排熱孔７４方向に移動させることができる。よって、ペルチェ素子７５の放熱側で放熱された熱は、放熱用ファン７３によって排熱孔７４から積極的に外側に排出させることができるので、ペルチェ素子７５の放熱が固定部７に影響するのを抑制できる。
【００７８】
また、本実施形態では、一方の挟持部２の内部空間に仕切り壁７７が設けられているので、加熱部６側の熱が固定部７側に伝わるのを抑制することができる。
【００７９】
以上により、本実施形態のヘアスタイリング装置１Ｄによっても、上記第１実施形態と同様の作用効果を得ることができる。
【００８０】
また、本実施形態では、固定部７が、その固定部７の髪接触面となるプレート７１の表面７１ａの温度を下げる冷却手段としてのペルチェ素子７５を備えている。そのため、加熱部６のプレート６１表面６１ａの温度と、固定部７のプレート７１表面７１ａの温度の温度勾配を大きくできるので、加熱部６によって形成された毛髪形状を効果的に固定することができる。
【００８１】
なお、ペルチェ素子７５を備える本実施形態では、プレート７１の表面７１ａの温度をマイナス域まで下げることができるようになり、本実施形態では−２０゜Ｃ〜−１０゜Ｃの範囲となるように設定しているが、これに限定されない。
【００８２】
さらにまた、本実施形態では、ペルチェ素子７５の近傍に放熱用ファン７３を設けたので、ペルチェ素子７５の放熱効率を向上させて、ペルチェ素子７５による冷却効果を高めることができる。
【００８３】
また、本実施形態では、ペルチェ素子７５の背面側の一方の挟持部２に、その内部空間と外部とを連通する複数の廃熱孔７４が設けたので、排熱孔７４からペルチェ素子７５の放熱を積極的に外側に排出できる。よって、このことによってもペルチェ素子７５の冷却効率を高めることができる。
【００８４】
さらにまた、本実施形態では、一方の挟持部２の内部空間に仕切り壁７７を設けて、固定部７と加熱部６および前処理部５とを分離している。そのため、加熱部６の加熱によるアイロン効果をより高めることができるとともに、固定部７の冷却効果をより高めることができるので、加熱部６で矯正した髪型の固定をより確実に行うことができる。
【００８５】
以上、本発明の好適な実施形態について説明したが、本発明は上記実施形態には限定されず、種々の変形が可能である。
【００８６】
例えば、上記各実施形態では、前処理部５、加熱部６および固定部７を一方の挟持部２にのみ設けるようにしたが、図９に示すヘアスタイリング装置１Ｅのように、他方の挟持部３にも設けるようにしてもよい。なお、図９に示す例では、赤外線ランプ５１、ヒータ６１、冷却手段としてのペルチェ素子７５などは上下で対称に設けられているが、超音波振動子５２については、一方の挟持部２にのみ設けている。
【００８７】
また、上記各実施形態では、前処理部５を一方の挟持部２の髪接触部４に設けるようにしたが、その他の部位に設けるようにしてもよい。
【符号の説明】
【００８８】
１、１Ａ、１Ｂ、１Ｃ、１Ｄ、１Ｅ  ヘアスタイリング装置
２  一方の挟持部
３  他方の挟持部
４  髪接触部
５  前処理部
５１  赤外線ランプ（赤外線照射部）
５２  超音波振動子（超音波発生部）
６  加熱部
７  固定部
１２、１３、１４  断熱部剤
７５  ペルチェ素子（冷却手段）
α    施術方向
【図１】
2013085742.tif 000003
【図２】
2013085742.tif 000004
【図３】
2013085742.tif 000005
【図４】
2013085742.tif 000006
【図５】
2013085742.tif 000007
【図６】
2013085742.tif 000008
【図７】
2013085742.tif 000009
【図８】
2013085742.tif 000010
【図９】
2013085742.tif 000011